(57)【要約】      （修正有）【課題】車輪付き肩掛け袋を丸め込んで、他の袋の中へ入れられるようにした肩掛け袋を提供する。【解決手段】柔軟性を有する生地で袋本体を縫製し、袋本体の底面部と同一形状のシート片を柔軟な生地で形成し、シート片の長辺の一方を巻き返して筒状のシャフト通し部を縫着し、シャフト通し部にシャフトを挿入し、シャフトの両端に車輪を固定し、袋本体の底面部にシャフト付き車輪を備えたシート片を縫着したことを特徴とする肩掛け袋である。【選択図】図１
0003143998.tif 000002
【実用新案登録請求の範囲】
【請求項１】
袋本体の開口部に巾着袋状の開閉カバーを設けてなる肩掛け袋において、柔軟性を有する生地で袋本体を縫製し、袋本体の底面部に縫着するシート片の長辺を巻き返して筒状のシャフト通し部を設けて縫着し、シャフト通し部にシャフトを挿入し、シャフトの両端がシート片から突き出た状態の先端部に車輪を固定し、袋本体の底面部にシャフト付き車輪を備えたシート片を縫着してなる肩掛け袋。
【考案の詳細な説明】
【技術分野】
【０００１】  本考案は、買い物や少量の物を持ち運ぶのに便利な車輪付きの肩掛け袋に関する。
【背景技術】
【０００２】  従来、買物や少量の物を持ち運ぶのに使用する袋としては、一般的に上部が開放された開口辺に一対の提げ手を設けたものが使用されている。また、多量の買物や重い物を持ち運びする場合は手押し車を用いることが多い。【０００３】  例えば、持ち運びに便利なように、キャスター付きで折りたたみが可能なバックに関するものが提案されている（例えば、特許文献１参照）。【０００４】  また、手提げ袋の上縁に折返し片を設け、折返し片を内側に折り返して取手用の袋状の挿入部を設け、折返し片を熱シールで溶着してなる手提げ袋が提案されている（例えば、特許文献２参照）。
【特許文献１】登録実用新案第３０６３１１７号公報  ２頁、図２
【特許文献２】登録実用新案第３０００８９９号公報、２頁、図２
【考案の開示】
【考案が解決しようとする課題】
【０００５】  前記特許文献１に示されたキャスター付きの折りたたみバッグは、袋本体の底面部に、脚部と車輪を一体的に連結した折りたたみ可能なバッグであって、買物時やその後の移動に都合のよいものであるが、車輪が袋本体の底面部に設けてあるため、車輪を巻き込んだ状態で折りたたむので嵩張っていた。したがって、折りたたんで他の袋の中へ入れ込むには嵩張るので、携帯するためには不便であった。【０００６】  また、特許文献２に示された手提げ袋は、袋本体の上縁に紐を通す挿入部が設けてあるため、品物の収容は袋本体の容積に限られていた。したがって、袋本体よりも長いものや嵩張るものを入れた場合は、覆い被せられないため紐が締めにくい欠点があった。【０００７】  そこで本考案は、袋本体の容積以上の余裕が得られるようにして、袋本体の底面部の外部に２個の車輪を設けるようを工夫した。そして、袋本体を丸め込んで、他の袋の中へ入れられるようにした肩掛け袋の提供を目的とするものである。
【課題を解決するための手段】
【０００８】  前記目的を達成するために、本考案に係る肩掛け袋は、柔軟性を有する生地で縫製してなる袋本体であって、袋本体に一対の肩掛けベルトを設ける。【０００９】  布製のカバー部材でスカート状の開閉カバーを形成し、開閉カバーの上部開口縁に紐通し部を設け、紐通し部の左右両端に紐を通す切欠部を設けて巾着袋状に開閉カバーを形成して、当該開閉カバーの下部を袋本体の上部内周面に縫着する。【００１０】  また、袋本体の底面部に縫着するシート片を形成し、当該シート片には長辺の一方を折り返して筒状のシャフト通し部を設けて縫着する。【００１１】  前記シャフト通し部の中にシャフトを挿入し、シャフトの両端がシート片から突き出た状態の先端部に車輪を固定する。【００１２】  シャフト付き車輪を備えたシート片を袋本体の底面部に縫着してなることを特徴とする肩掛け袋である。
【考案の効果】
【００１３】  本考案に係る肩掛け袋には、袋本体の上部内周面に巾着袋状の開閉カバーを縫着したので、当該開閉カバーの紐通し部に紐を通して開口部を絞めることができる。また、紐を肩掛け又は車輪を設けた肩掛け袋を引きながら運ぶことができる。【００１４】  また、肩掛け袋本体の底面部に、シャフト付きの車輪を備えたシート片を袋本体の底面部に縫着することによって、車輪が回転するとシャフトが同時にシャフト通し部の中で回転するので、袋本体の収納部に品物を入れた状態で引きながら運ぶことができる。また、袋本体の底面部にシート片を縫着することによって底面を二重に補強する効果も得られる。【００１５】  なお、車輪がシート片の外部に設けられたので、シャフトに連結した２個の車輪の間に袋本体を丸め込むことが可能となる。【００１６】  したがって、本考案に係る手提げ袋本体は、柔軟性を有する生地で縫製しているので、丸め易く折りたたむのに好都合である。不使用のときは、丸め込んで他の袋の中に入れて置くことができる
【考案を実施するための最良の形態】
【００１７】  以下、本考案の最良の形態を図面に基づき説明する。【００１８】  図１は、本考案に係る袋本体の全体を概観する斜視図であって、袋本体１に一対の肩掛けベルト８を設け、袋本体１は柔軟性を有する生地で縫製したものである。【００１９】  図２は本考案に係るシート片３に車輪が取り付けられる状態を示す斜視図であって、袋本体１の底面部２に縫着するシート片３を形成し、当該シート片３には長辺の一方を折り返して筒状のシャフト通し部４を設けて縫着する。【００２０】  前記シャフト通し部４の中にシャフト５を挿入し、シャフト５の両端がシート片３から突出た状態の先端部６に車輪７を取り付けて固定する。【００２１】  シャフト付き車輪７を備えたシート片３を袋本体１の底面部２に縫着してなることを特徴とする肩掛け袋である。【００２２】  次に、袋本体の上部内周面に開閉カバー１２を縫着した状態を説明する。  開閉カバー１２は布製のカバー部材でスカート状に形成し、開閉カバー１２の上部の開口縁を内側に折り返して紐通し部１３を設けて、当該開閉カバー１２の下部を袋本体１の上部内周面に縫着し、紐通し部１３の左右両端に紐１４を通す切欠部１５を設けて、切欠部１５に紐１４を通してなる巾着袋状の開閉カバー１２である。【００２３】  袋本体の上部内周面に巾着袋状の開閉カバー１２を縫着したので、袋本体に入れた品物が長い場合や嵩張る場合は、スカート状に形成された開閉カバー１２の上部に紐１４を通す紐通し部１３が設けられてあるため、開閉カバー１２の高さに相当する容積が得られる。したがって、長いものや嵩張るものを覆い被せて紐１４を閉じることができる。【００２４】  本考案に係る手提げ袋を折りたたむ場合は、袋本体１の表面を下向きにして、シャフト付き車輪を備えたシート片３の底面を上向きにして、シャフト５を巻き込むようにして、底面から徐々に丸く巻き込みながら折りたたむことができる。さらに、巻き込まれた袋本体１は、袋本体１の内面の上部に設けた留め紐９によって留め具１０，１１を利用して留めることができる。
【図面の簡単な説明】
【００２５】
【図１】肩掛け袋の全体を概観する斜視図
【図２】本考案に係るシート片に部材の取り付け状態を示す斜視図
【図３】本考案の一部を省略した側面図
【図４】本考案の一部を省略した断面図
【符号の説明】
【００２６】  １  袋本体
２  底面部
３  シート片
４  シャフト通し部
５  シャフト
６  先端部
７  車輪
８  肩掛けベルト
９  留め紐
１０  留め具
１１  留め具
１２  開閉カバー
１３  紐通し部
１４  紐
１５  切欠部
【図１】
0003143998.tif 000003
【図２】
0003143998.tif 000004
【図３】
0003143998.tif 000005
【図４】
0003143998.tif 000006